(57)【要約】【課題】この発明は、時刻合わせのための通信を定期的に行うことなく、メインシステムの動作ログ情報とサブシステムの動作ログ情報との時間的整合性をより高めることができる動作ログ管理システムを提供することを目的とするものである。【解決手段】駅システムコントローラ３は、命令ＩＤと基準時刻情報とメイン動作ログとを関連付けてメイン動作ログ情報を作成する。プラットホームドアコントローラ４は、命令ＩＤと経過時間情報とサブ動作ログとを互いに関連付けてサブ動作ログ情報を作成する。動作ログ管理装置６は、同じ命令ＩＤに関連付けられた基準時刻情報と経過時間情報とから、サブ動作ログ情報の作成時刻を求め、メイン動作ログ情報とサブ動作ログ情報とを作成時刻順に整列させ格納する。【選択図】図４
2007026048.tif 000002
【特許請求の範囲】
【請求項１】
メインシステム命令信号を作成するとともに、そのメインシステム命令信号に対応する識別情報と基準時刻情報とを含むメイン動作ログ情報を作成するメインシステムコントローラ、
上記メインシステムコントローラからメインシステム命令信号と識別情報とが入力され、そのメインシステム命令信号に基づいて動作するとともに、その動作に対応する経過時間情報と識別情報とを含むサブ動作ログ情報を作成するサブシステムコントローラ、及び
上記メインシステムコントローラからメイン動作ログ情報を受け取るとともに、上記サブシステムコントローラからサブ動作ログ情報を受け取り、メイン動作ログ情報の基準時刻情報と、そのメイン動作ログ情報と同じ識別情報を含むサブ動作ログ情報の経過時間情報とから、サブ動作ログ情報の作成時刻を求め、メイン動作ログ情報とサブ動作ログ情報とを作成時刻順に整列させる動作ログ管理部
を備えていることを特徴とする動作ログ管理システム。
【請求項２】
上記サブシステムコントローラは、上記メインシステムコントローラからメインシステム命令信号が入力された際に、メインシステム命令信号に基づいて動作する第１のサブシステムコントローラと第２のサブシステムコントローラとを含み、
上記動作ログ管理部は、上記メインシステムコントローラが作成したメイン動作ログ情報と、上記第１のサブシステムコントローラが作成した第１のサブ動作ログ情報と、上記第２のサブシステムコントローラが作成した第２のサブ動作ログ情報とを作成時刻順に整列させることを特徴とする請求項１記載の動作ログ管理システム。
【請求項３】
上記メインシステムコントローラは、第１のメインシステムコントローラと第２のメインシステムコントローラとを含み、
上記動作ログ管理部は、上記第１のメインシステムコントローラが作成した第１のメイン動作ログ情報と、上記第２のメインシステムコントローラが作成した第２のメイン動作ログ情報と、上記サブシステムコントローラが作成したサブ動作ログ情報とを作成時刻順に整列させることを特徴とする請求項１又は請求項２に記載の動作ログ管理システム。
【請求項４】
上記メインシステムコントローラは、駅構内に設けられた少なくともプラットホームドアを含む設備の動作を監視制御する駅システムコントローラであり、
上記サブシステムコントローラは、上記プラットホームドアの動作を監視制御するプラットホームドアコントローラであることを特徴とする請求項１〜請求項３のいずれかに記載の動作ログ管理システム。
【請求項５】
メインシステムの動作ログ情報と、そのメインシステムの動作に対応するサブシステムの動作ログ情報とを管理する動作ログ管理方法であって、
メインシステムの動作と、その動作に対応する識別情報とメイン作成時刻とを互いに関連付けてメインシステムの動作ログ情報を作成する工程、
サブシステムの動作と、メインシステムの動作ログ情報が作成されてからサブシステムの動作ログ情報が作成されるときまでの差分時間と、識別情報とを互いに関連付けてサブシステムの動作ログ情報を作成する工程、及び
同じ識別情報に関連付けられたメイン作成時刻と差分時間とに基づいて、サブシステムの動作ログ情報の作成時刻を求め、メインシステムの動作ログ情報とサブシステムの動作ログ情報とを作成された時刻順に整列させる工程
を含むことを特徴とする動作ログ管理方法。
【発明の詳細な説明】
【技術分野】
【０００１】
この発明は、メインシステム及びサブシステムの動作ログ情報を管理する動作ログ管理システム及び動作ログ管理方法に関するものである。
【背景技術】
【０００２】
従来の車両運行支援システムでは、運行管理センタから、広域無線基地局の信号送信可能範囲内にいる複数の車両に対して、広域無線基地局を介して時刻合わせ信号が一斉に送信される。そして、その時刻合わせ信号に基づいて、各車両に搭載された車載時計の時刻が、運行管理センタに設けられた基準時計の時刻に合わせられ、基準時計の時刻に基づいて複数の車両の運行が運行管理センタによって管理されている（例えば、特許文献１参照）。
【０００３】
【特許文献１】特開２０００−２２９５７３号公報
【発明の開示】
【発明が解決しようとする課題】
【０００４】
上記のような従来の車両運行支援システムでは、時刻合わせのための通信を定期的に行わなければ、車載時計の時刻と基準時計の時刻との間にずれが生じてしまい、運行管理センタの動作ログと各車両の動作ログとの時間的整合性が悪くなる。
【０００５】
この発明は、上記のような課題を解決するためになされたものであり、その目的は、時刻合わせのための通信を定期的に行うことなく、メインシステムの動作ログ情報とサブシステムの動作ログ情報との時間的整合性をより高めることができる動作ログ管理システムを提供することである。
【課題を解決するための手段】
【０００６】
この発明に係る動作ログ管理システムは、メインシステム命令信号を作成するとともに、そのメインシステム命令信号に対応する識別情報と基準時刻情報とを含むメイン動作ログ情報を作成するメインシステムコントローラ、メインシステムコントローラからメインシステム命令信号と識別情報とが入力され、そのメインシステム命令信号に基づいて動作するとともに、その動作に対応する経過時間情報と識別情報とを含むサブ動作ログ情報を作成するサブシステムコントローラ、及びメインシステムコントローラからメイン動作ログ情報を受け取るとともに、サブシステムコントローラからサブ動作ログ情報を受け取り、メイン動作ログ情報の基準時刻情報と、そのメイン動作ログ情報と同じ識別情報を含むサブ動作ログ情報の経過時間情報とから、サブ動作ログ情報の作成時刻を求め、メイン動作ログ情報とサブ動作ログ情報とを作成時刻順に整列させる動作ログ管理部を備える。
【発明の効果】
【０００７】
この発明の動作ログ管理システムによれば、動作ログ管理部は、メインシステムコントローラからメイン動作ログ情報を受け取るとともに、サブシステムコントローラからサブ動作ログ情報を受け取り、メイン動作ログ情報の基準時刻情報と、そのメイン動作ログ情報と同じ識別情報を含むサブ動作ログ情報の経過時間情報とから、サブ動作ログ情報の作成時刻を求め、メイン動作ログ情報とサブ動作ログ情報とを作成時刻順に整列させるので、サブシステムコントローラ内の基準時刻情報がメインシステムコントローラ内の基準時刻情報に対してずれていても、メイン動作ログ情報とサブ動作ログ情報とをより正確に作成時刻順に整列させることができ、時刻合わせのための通信を定期的に行うことなく、メインシステムの動作ログ情報とサブシステムの動作ログ情報との時間的整合性をより高めることができる。
【発明を実施するための最良の形態】
【０００８】
以下、この発明を実施するための最良の形態について、図面を参照して説明する。
実施の形態１．
図１は、この発明の実施の形態１による駅システム１を示す構成図である。図において、駅システム（メインシステム）１には、ローカルシステム２が含まれている。ローカルシステムには、駅構内に設けられたプラットホームドアの動作を監視制御するプラットホームドアシステム（サブシステム）２ａと、プラットホームドア以外の駅内設備、例えば照明設備、案内放送装置、及び表示装置等の動作を監視制御する駅内設備システム２ｂとが含まれている。
【０００９】
メインシステムコントローラである駅システムコントローラ３は、駅システム全体の動作を監視制御する。駅システムコントローラ３には、サブシステムコントローラであるプラットホームドアコントローラ４と、駅内設備コントローラ５と、動作ログ管理装置（動作ログ管理部）６とが接続されている。また、プラットホームドアコントローラ４及び駅内設備コントローラ５は、動作ログ管理装置６に接続されている。
【００１０】
プラットホームドアコントローラ４には、複数の入出力機器７が接続されている。入出力機器７には、例えばプラットホームドアを駆動するドア駆動モータ、プラットホームドアの開閉動作を監視するドア位置検出器、プラットホームドアの開閉動作中にプラットホームドアの進路に障害物があるかどうかを監視する障害物検出器、及びプラットホームドアが全開状態及び全閉状態であることを確認するためのドア本体開閉検出器等の機器が含まれる。
【００１１】
プラットホームドアコントローラ４は、駅システムコントローラ３からのメインシステム命令信号に基づいて、各入出力機器７の動作を監視制御する。また、プラットホームドアコントローラ４は、各入出力機器７の動作状況を示す情報であるサブシステム動作状況情報を、駅システムコントローラ３に対して出力する。さらに、プラットホームドアコントローラ４は、例えばプラットホームドアが動作不良状態になった際等に、駅システムコントローラ３に対してサブシステム指令信号を出力する。
【００１２】
駅内設備コントローラ５は、駅システムコントローラ３からのメインシステム命令信号に基づいて、駅内設備の動作を監視制御する。また、駅内設備コントローラ５は、駅内設備の動作状況を示す情報である駅内設備システム動作状況情報を、駅システムコントローラ３に対して出力する。さらに、駅内設備コントローラ５は、例えば駅内設備が動作不良状態になった際等に、駅内設備システム指令信号を駅システムコントローラ３に対して出力する。
【００１３】
動作ログ管理装置６は、駅システムコントローラ３、プラットホームドアコントローラ４、及び駅内設備コントローラ５の動作ログ情報を格納する。また、動作ログ管理装置６は、駅システムコントローラ３及びプラットホームドアコントローラ４の動作ログ情報を解析し、それらの動作ログ情報を作成時刻順に整列させる。
【００１４】
次に、図２は、図１の駅システムコントローラ３を詳細に示す構成図である。図において、駅システムコントローラ３は、メインシステム情報処理部８と、メインシステム時刻管理部９と、メインシステムコントローラ側接続インタフェース１０と、メイン動作ログ情報記憶部１１とを有している。
【００１５】
メインシステム情報処理部８は、指令入力部１４と、ローカルシステム動作状況情報入力部１５と、ローカルシステム動作状況情報判定部１６と、メインシステム命令作成部１８と、命令ＩＤ管理部２１と、メインシステム命令出力部２４と、メイン動作ログ情報作成部２６とを有している。
【００１６】
ローカルシステム動作状況情報入力部１５は、プラットホームドアコントローラ４からのサブシステム動作状況情報と、駅内設備コントローラ５からの駅内設備システム動作状況情報とを、メインシステムコントローラ側接続インタフェース１０を介して受け付ける。また、ローカルシステム動作状況情報入力部１５は、それら動作状況情報を、ローカルシステム動作状況情報判定部１６及びメイン動作ログ情報作成部２６に入力する。
【００１７】
ローカルシステム動作状況情報判定部１６は、ローカルシステム動作状況情報入力部１５からの動作状況情報を総合的に判定し、現在のプラットホームドア及び駅内設備の動作状況を示すローカルシステム総合動作状況情報を作成する。また、ローカルシステム動作状況情報判定部１６は、作成したローカルシステム総合動作状況情報をメインシステム命令作成部１８及びメイン動作ログ情報作成部２６に入力する。
【００１８】
指令入力部１４は、プラットホームドアコントローラ４からのサブシステム指令信号と、駅内設備コントローラ５からの駅内設備システム指令信号とを、メインシステムコントローラ側接続インタフェース１０を介して受け取る。また、指令入力部１４は、入力されたそれら指令信号をメインシステム命令作成部１８及びメイン動作ログ情報作成部２６に入力する。
【００１９】
メインシステム命令作成部１８は、ローカルシステム動作状況情報判定部１６からのローカルシステム総合動作状況情報と、指令入力部１４からの指令信号とに基づいて、メインシステム命令信号を作成する。また、メインシステム命令作成部１８は、作成したメインシステム命令信号を命令ＩＤ管理部２１とメインシステム命令出力部２４とに入力する。命令ＩＤ管理部２１は、メインシステム命令作成部１８が作成したメインシステム命令信号に対して命令ＩＤ（識別情報）を付与し、その命令ＩＤをメインシステム命令出力部２４に入力する。
【００２０】
メインシステム時刻管理部９は、駅システム内の基準時刻情報を作成する基準時刻情報作成部９ａを有している。また、メインシステム時刻管理部９は、基準時刻情報作成部９ａが作成した基準時刻情報をメインシステム命令出力部２４及びメイン動作ログ情報作成部２６に入力する。
【００２１】
メインシステム命令出力部２４は、入力されたメインシステム命令信号と命令ＩＤと基準時刻情報とを、メインシステムコントローラ側接続インタフェース１０を介して所定のコントローラ４，５に対して出力する。また、メインシステム命令出力部２４は、入力されたメインシステム命令信号と命令ＩＤと基準時刻情報とを、メイン動作ログ情報作成部２６に入力する。
【００２２】
メイン動作ログ情報作成部２６は、入力された情報をメイン動作ログとして認識するとともに、そのメイン動作ログと、メインシステム時刻管理部９からの基準時刻情報とを互いに関連付けてメイン動作ログ情報を作成する。
【００２３】
即ち、メイン動作ログ情報作成部２６は、ローカルシステム動作状況情報入力部１５からのサブシステム動作状況情報及び駅内設備システム動作状況情報と、メインシステム時刻管理部９からの基準時刻情報とを互いに関連付けてメイン動作ログ情報を作成する。
【００２４】
また、メイン動作ログ情報作成部２６は、ローカルシステム動作状況情報判定部１６からのローカルシステム総合動作状況情報と、メインシステム時刻管理部９からの基準時刻情報とを互いに関連付けてメイン動作ログ情報を作成する。
【００２５】
さらに、メイン動作ログ情報作成部２６は、指令入力部１４からのサブシステム指令信号及び駅内設備システム指令信号と、メインシステム時刻管理部９からの基準時刻情報とを互いに関連付けてメイン動作ログ情報を作成する。
【００２６】
さらにまた、メイン動作ログ情報作成部２６は、メインシステム命令出力部２４からのメインシステム命令信号と命令ＩＤと基準時刻情報とを互いに関連付けてメイン動作ログ情報を作成する。
【００２７】
メイン動作ログ情報記憶部１１は、メイン動作ログ情報作成部２６が作成したメイン動作ログ情報を格納する。
【００２８】
次に、図３は、図１のプラットホームドアコントローラ４を詳細に示す構成図である。図において、プラットホームドアコントローラ４は、サブシステム情報処理部３０と、サブシステムコントローラ側接続インタフェース３１と、サブシステム時刻管理部３２と、サブ動作ログ情報記憶部３３とを有している。
【００２９】
サブシステム情報処理部３０は、メインシステム命令入力部３５と、命令ＩＤ抽出部３７と、サブシステム命令作成部３８と、サブシステム動作状況情報入力部４１と、サブシステム動作状況判定部４３と、サブシステム命令出力部４５と、サブ動作ログ情報作成部４６とを有している。
【００３０】
メインシステム命令入力部３５は、メインシステム命令出力部２４からのメインシステム命令信号と命令ＩＤと基準時刻情報とを、サブシステムコントローラ側接続インタフェース３１を介して受け取る。また、メインシステム命令入力部３５は、例えば命令ＩＤの連続（規則）性等に基づいて命令ＩＤの正当性を判定する。具体的には、メインシステム命令入力部３５は、以前入力された命令ＩＤが命令ＩＤＮｏ．３で、今回の入力されるはずの命令ＩＤが命令ＩＤＮｏ．４である場合に、伝送の不具合等によって命令ＩＤＮｏ．２が入力されると、その入力された命令ＩＤを不正なものと判定する。つまり、メインシステム命令入力部３５は、命令ＩＤを、駅システムコントローラ３が正常に動作していることを確認するための情報として用いる。
【００３１】
メインシステム命令入力部３５は、入力された命令ＩＤが不正であれば、メインシステム命令信号と命令ＩＤと基準時刻情報とを破棄する。
【００３２】
これに対して、メインシステム命令入力部３５は、入力された命令ＩＤが正当であれば、メインシステム命令出力部２４からの情報を、サブシステム時刻管理部３２、サブシステム命令作成部３８、及び命令ＩＤ抽出部３７に入力する。
【００３３】
サブシステム時刻管理部３２は、入力された情報から基準時刻情報を抽出し、例えば基準時刻情報の連続性等に基づいて、その基準時刻情報の正当性を判定する。具体的には、サブシステム時刻管理部３２は、前回受け付けた基準時刻情報が１０時であるのに、今回受け付けた基準時刻情報が９時である場合にその基準時刻情報を不正とする。つまり、サブシステム時刻管理部３２は、駅システムコントローラ３が正常に動作していることを確認するための情報として基準時刻情報を用いる。
【００３４】
また、サブシステム時刻管理部３２は、基準時刻情報がサブシステム時刻管理部３２に入力されてからの経過時間（差分時間）を示す経過時間情報を作成する経過時間情報作成部３２ａを有している。サブシステム時刻管理部３２に入力された基準時刻情報が不正である場合には、経過時間情報作成部３２ａは経過時間を計測せず、サブシステム時刻管理部３２はメインシステム命令入力部３５に対してエラー情報を入力する。メインシステム命令入力部３５は、サブシステム時刻管理部３２からのエラー情報を受けると、サブシステム時刻管理部３２、サブシステム命令作成部３８、及び命令ＩＤ抽出部３７にメインシステム命令入力部３５からの情報を破棄させる。
【００３５】
これに対して、サブシステム時刻管理部３２に入力された基準時刻情報が正当である場合には、経過時間情報作成部３２ａは経過時間情報を作成し、サブシステム時刻管理部３２は、その経過時間情報をサブ動作ログ情報作成部４６に入力するとともに基準時刻情報を格納する。
【００３６】
サブシステム動作状況情報入力部４１は、各入出力機器７からの動作状況情報を、サブシステムコントローラ側接続インタフェース３１を介して受け取る。また、サブシステム動作状況情報入力部４１は、各入出力機器７からの動作状況情報を、サブシステム動作状況判定部４３及びサブ動作ログ情報作成部４６に入力する。
【００３７】
サブシステム動作状況判定部４３は、各入出力機器７からの動作状況情報を総合的に判定し、現在の各入出力機器７の動作状況を示すサブシステム総合動作状況情報を作成する。また、サブシステム動作状況判定部４３は、サブシステム総合動作状況情報を、サブシステム命令作成部３８とサブ動作ログ情報作成部４６とに入力する。
【００３８】
サブシステム命令作成部３８は、メインシステム命令入力部３５からの情報からメインシステム命令信号を抽出する。また、サブシステム命令作成部３８は、メインシステム命令信号と、サブシステム動作状況判定部４３からのサブシステム総合動作状況情報とに基づいてサブシステム命令信号を作成する。また、サブシステム命令作成部３８は、作成したサブシステム命令信号をサブシステム命令出力部４５に入力する。
【００３９】
サブシステム命令出力部４５は、サブシステム命令作成部３８からのサブシステム命令信号を、サブシステムコントローラ側接続インタフェース３１を介して入出力機器７に入力する。入出力機器７は、入力されたサブシステム命令に基づいて動作する。また、サブシステム命令出力部４５は、サブシステム命令作成部３８からのサブシステム命令信号をサブ動作ログ情報作成部４６に入力する。
【００４０】
命令ＩＤ抽出部３７は、メインシステム命令入力部３５からの情報から命令ＩＤを抽出し、その命令ＩＤをサブ動作ログ情報作成部４６に入力する。
【００４１】
サブ動作ログ情報作成部４６は、入力されたサブシステム命令信号等の各情報をサブ動作ログとして認識し、そのサブ動作ログと、サブシステム時刻管理部３２からの経過時間情報と、命令ＩＤ抽出部３７からの命令ＩＤとを互いに関連付けてサブ動作ログ情報を作成する。
【００４２】
即ち、サブ動作ログ情報作成部４６は、サブシステム動作状況情報入力部４１からの動作状況情報と、サブシステム時刻管理部３２からの経過時間情報と、命令ＩＤ抽出部３７からの命令ＩＤとを互いに関連付けてサブ動作ログ情報を作成する。
【００４３】
また、サブ動作ログ情報作成部４６は、サブシステム動作状況判定部４３からのサブシステム総合動作状況情報と、サブシステム時刻管理部３２からの経過時間情報と、命令ＩＤ抽出部３７からの命令ＩＤとを互いに関連付けてサブ動作ログ情報を作成する。
【００４４】
さらに、サブ動作ログ情報作成部４６は、サブシステム命令出力部４５からのサブシステム命令信号と、サブシステム時刻管理部３２からの経過時間情報と、命令ＩＤ抽出部３７からの命令ＩＤとを互いに関連付けてサブ動作ログ情報を作成する。
【００４５】
サブ動作ログ情報記憶部３３は、サブ動作ログ情報作成部４６が作成したサブ動作ログ情報を格納する。
【００４６】
次に、図４は、図１の動作ログ管理装置６を詳細に示す構成図である。図において、動作ログ管理装置６は、動作ログ管理情報処理部５０と、動作ログ管理装置側接続インタフェース５２と、全システム動作ログ情報記憶部５３とを有している。
【００４７】
動作ログ管理情報処理部５０は、メイン動作ログ情報入力部５７と、時刻情報抽出部５９と、命令ＩＤ抽出部６１と、基準時刻情報−命令ＩＤ対応管理部６３と、サブ動作ログ情報入力部６５と、時系列サブ動作ログ情報作成部６７と、時系列全システム動作ログ情報作成部６８と、全システム動作ログ情報記憶部５３とを有している。
【００４８】
メイン動作ログ情報入力部５７は、動作ログ管理装置側接続インタフェース５２及びメインシステムコントローラ側接続インタフェース１０を介して、メイン動作ログ情報記憶部１１に格納されたメイン動作ログ情報を読み取る。また、メイン動作ログ情報入力部５７は、メイン動作ログ情報を、時刻情報抽出部５９と命令ＩＤ抽出部６１と時系列全システム動作ログ情報作成部６８とに入力する。
【００４９】
時刻情報抽出部５９は、入力されたメイン動作ログ情報から基準時刻情報を抽出する。また、時刻情報抽出部５９は、抽出した基準時刻情報を基準時刻情報−命令ＩＤ対応管理部６３に入力する。命令ＩＤ抽出部６１は、メイン動作ログ情報から命令ＩＤを抽出する。また、命令ＩＤ抽出部６１は、抽出した命令ＩＤを基準時刻情報−命令ＩＤ対応管理部６３に入力する。
【００５０】
基準時刻情報−命令ＩＤ対応管理部６３は、入力された基準時刻情報と命令ＩＤとを関連付けて基準時刻情報−命令ＩＤ対応情報を作成する。また、基準時刻情報−命令ＩＤ対応管理部６３は、作成した基準時刻情報−命令ＩＤ対応情報を時系列サブ動作ログ情報作成部６７に入力する。
【００５１】
サブ動作ログ情報入力部６５は、動作ログ管理装置側接続インタフェース５２及びサブシステムコントローラ側接続インタフェース３１を介して、サブ動作ログ情報記憶部３３からサブ動作ログ情報を読み取る。また、サブ動作ログ情報入力部６５は、サブ動作ログ情報を時系列サブ動作ログ情報作成部６７に入力する。
【００５２】
時系列サブ動作ログ情報作成部６７は、基準時刻情報−命令ＩＤ対応管理部６３からの基準時刻情報−命令ＩＤ対応情報と、サブ動作ログ情報入力部６５からのサブ動作ログ情報とに基づいて、サブ動作ログ情報に基準時刻情報を関連付けた時系列サブ動作ログ情報を作成する。
【００５３】
具体的には、時系列サブ動作ログ情報作成部６７は、同じ命令ＩＤに関連付けられた基準時刻情報と経過時間情報とをサブ動作ログ毎に加算することで、各サブ動作ログが作成された基準時刻情報を求め、それらサブ動作ログを作成時刻順（時系列）に整列させ時系列サブ動作ログ情報を作成する。また、時系列サブ動作ログ情報作成部６７は、作成した時系列サブ動作ログ情報を時系列全システム動作ログ情報作成部６８に入力する。
【００５４】
時系列全システム動作ログ情報作成部６８は、メイン動作ログ情報入力部５７からのメイン動作ログ情報と、時系列サブ動作ログ情報作成部６７からの時系列サブ動作ログ情報とを作成時刻順に整列させ全システム動作ログ情報を作成する。全システム動作ログ情報記憶部５３は、時系列全システム動作ログ情報作成部６８が作成した全システム動作ログ情報を格納する。
【００５５】
次に、動作ログ情報の作成動作について説明する。図５は、図２のメイン動作ログ情報記憶部１１、図３のサブ動作ログ情報記憶部３３、及び図４の全システム動作ログ情報記憶部５３に格納された各動作ログ情報を示す説明図である。ここでは、具体例としてプラットホームドアが戸開動作される場合について説明する。
【００５６】
駅システムコントローラ３からプラットホームドアコントローラ４に対してドアオープン命令信号が出力されると、「１０：００（基準時刻情報Ｎｏ．１）に命令ＩＤＮｏ．１を付与したドアオープン命令信号が出力された（メイン動作ログＮｏ．１）」というメイン動作ログ情報がメイン動作ログ情報記憶部１１に格納される。
【００５７】
このドアオープン命令信号がプラットホームドアコントローラ４に入力されると、命令ＩＤ及び基準時刻情報の正当性が確認された上で、経過時間の計測が開始されるとともに、プラットホームドアの戸開制御動作が行われ、その戸開制御動作中のサブ動作ログ情報がサブ動作ログ情報記憶部３３に順次格納される。
【００５８】
即ち、サブ動作ログ情報記憶部３３には、「命令ＩＤＮｏ．１の命令に応じて、メインシステム命令入力部３５からサブシステム時刻管理部３２に基準時刻情報が入力されてから、５分後（差分時間Ｎｏ．１）にドア開閉の有無確認命令を出力した（サブ動作ログＮｏ．１）、６分後（差分時間Ｎｏ．２）にドア戸閉確認情報の入力を受けた（サブ動作ログＮｏ．２）、８分後（差分時間Ｎｏ．３）にドアモータ駆動命令を出力した（サブ動作ログＮｏ．３）、１１分後（差分時間Ｎｏ．４）にドアモータ停止命令を出力した（サブ動作ログＮｏ．４）、及び１２分後（差分時間Ｎｏ．５）にドア戸開確認情報の入力を受けた（サブ動作ログＮｏ．５）」というサブ動作ログ情報が格納される。
【００５９】
一方で、プラットホームドアの戸開監視制御動作がプラットホームドアコントローラ４によって行われている間にも、駅システムコントローラ３には、駅内設備コントローラ５からの駅内設備システム動作状況情報が入力され、メイン動作ログ情報記憶部１１にメイン動作ログ情報が順次格納される。即ち、「１０：０７（基準時刻情報Ｎｏ．２）にドアオープンの案内アナウンスが放送された（メイン動作ログＮｏ．２）、１０：０９（基準時刻情報Ｎｏ．３）に電車の行先が表示された（メイン動作ログＮｏ．３）、及び１０：１０（基準時刻情報Ｎｏ．４）に駆け込み乗車の注意アナウンスが放送された（メイン動作ログＮｏ．４）」というメイン動作ログ情報がメイン動作ログ情報記憶部１１に格納される。
【００６０】
この後、即ちメイン動作ログ情報記憶部１１にメイン動作ログ情報が格納され、サブ動作ログ情報記憶部３３にサブ動作ログ情報が格納された後に、メイン動作ログ情報及びサブ動作ログ情報が動作ログ管理装置６によって読み取られ、それらメイン動作ログ情報及びサブ動作ログ情報に基づいて、全システムログ情報が動作ログ管理装置６によって作成され、全システム動作ログ情報記憶部５３に全システムログ情報が格納される。
【００６１】
即ち、命令ＩＤＮｏ．１のシステム命令が１０：００に発せられたことが検出され、その命令ＩＤＮｏ．１の基準時刻情報Ｎｏ．１と、命令ＩＤＮｏ．１に関する各サブ動作ログ情報の差分時間とが加算されることで、命令ＩＤＮｏ．１に関する各サブ動作ログ情報の作成時刻が求められる。つまり、プラットホームドアコントローラ４が、ドア開閉の有無確認命令を出力した（サブ動作ログＮｏ．１）のは１０：０５であり、ドア戸閉確認情報の入力を受けた（サブ動作ログＮｏ．２）のは１０：０６であり、ドアモータ駆動命令を出力した（サブ動作ログＮｏ．３）のは１０：０８であり、ドアモータ停止命令を出力した（サブ動作ログＮｏ．４）のは１０：１１であり、ドア戸開確認情報の入力を受けた（サブ動作ログＮｏ．５）のは１０：１２であることが求められる。そして、メイン動作ログ情報と、サブ動作ログ情報とが作成時刻順に整列されることで全システムログ情報が作成され、その全システムログ情報が全システム動作ログ情報記憶部５３に格納される。
【００６２】
このような動作ログ管理システムでは、動作ログ管理装置６は、同じ命令ＩＤに関連付けられた基準時刻情報と経過時間情報とから、そのサブ動作ログ情報の作成時刻を求め、メイン動作ログ情報とサブ動作ログ情報とを作成時刻順に整列させ格納するので、プラットホームドアコントローラ４内の基準時刻情報が駅システムコントローラ３の基準時刻情報とずれていても、メイン動作ログ情報とサブ動作ログ情報とをより正確に作成時刻順に整列させることができ、時刻合わせのための通信を定期的に行うことなく、メイン動作ログ情報とサブ動作ログ情報との時間的整合性をより高めることができる。
【００６３】
なお、実施の形態１では、経過時間情報作成部３２ａは、サブシステム時刻管理部３２に入力された基準時刻情報が正当である場合に、サブシステム時刻管理部３２に基準時刻情報が入力されてからの差分時間を計測すると説明したが、差分時間作成部は、メインシステム命令出力部からメインシステム命令入力部に情報が入力されてからの経過時間を計測してもよく、サブシステム時刻管理部に入力された基準時刻情報が不正である場合に経過時間の計測をリセットしてもよい。
【００６４】
実施の形態２．
図６は、この発明の実施の形態２による駅システム７１を示す構成図である。実施の形態１では基本的なシステム構成について説明したが、この実施の形態２では、駅システムコントローラ３は、駅内監視制御ネットワーク７３を介して、複数のプラットホームドアコントローラ４と接続されている。プラットホームドアコントローラ４は、駅構内に設けられたプラットホームドアの枚数と同じだけ設けられている。また、駅システムコントローラ３は、駅内設備ネットワーク７４を介して、複数の駅内設備コントローラ５と接続されている。
【００６５】
動作ログ管理装置６は、駅内監視制御ネットワーク７３及び駅内設備ネットワーク７４を介して、駅システムコントローラ３と、各プラットホームドアコントローラ４と、各駅内設備コントローラ５と接続されている。また、動作ログ管理装置６は、駅システムコントローラ３が作成したメイン動作ログ情報と、各プラットホームドアコントローラ４が作成したサブ動作ログ情報と、各駅内設備コントローラ５が作成した動作ログ情報とを読み込み格納する。さらに、動作ログ管理装置６は、メイン動作ログ情報とサブ動作ログ情報とを作成時刻順に整列させる。その他の構成は、実施の形態１と同様である。
【００６６】
従来、駅の規模が大きくなるにつれて、プラットホームドアの枚数が多くなるとともに、プラットホームドアコントローラ４個数も多くなり、駅システムコントローラ３と各プラットホームドアコントローラ４との間で、時刻合わせのための通信を定期的に行うと、通信システムに大きな負担がかかるという問題がある。
これに対して、この実施の形態２のような動作ログ管理システムでは、動作ログ管理装置６は、メイン動作ログ情報の基準時刻情報と、そのメイン動作ログ情報と同じ命令ＩＤに関連付けられたサブ動作ログ情報の経過時間情報とから、そのサブ動作ログ情報の作成時刻を求め、メイン動作ログ情報とサブ動作ログ情報とを作成時刻順に整列させ格納するので、時刻合わせのための通信を定期的に行うことなく、メイン動作ログ情報とサブ動作ログ情報との時間的整合性をより高めることができ、駅構内の通信システムにかかる負担をより小さくすることができる。
【００６７】
実施の形態３．
図７は、この発明の実施の形態３による駅統合システム７０を示す構成図である。図において、駅統合システム７０は、複数の駅システム７１を含んでいる。複数の駅システムコントローラ７７は、駅統合ネットワーク７９を介して最上位システムコントローラである駅統合システムコントローラ８１に接続されている。
【００６８】
駅統合システムコントローラ８１は、複数の駅システムコントローラ７７の動作を監視制御する。また、駅統合システムコントローラ８１は、各駅システムコントローラ７７の動作状況を示す情報である駅システム動作状況情報を各駅システムコントローラ７７に対して出力する。さらに、駅統合システムコントローラ８１は、例えば、運行管理センタからプラットホームドアの開閉動作を遠隔操作する場合等に、駅統合システム指令信号を駅システムコントローラ７７に対して出力する。
【００６９】
動作ログ管理装置８３は、駅内監視制御ネットワーク７３、駅内設備ネットワーク７４、及び駅統合ネットワーク７９を介して、駅システムコントローラ７７、プラットホームドアコントローラ４、駅内設備コントローラ５、及び駅統合システムコントローラ８１に接続されている。また、動作ログ管理装置８３は、それら駅システムコントローラ７７、プラットホームドアコントローラ４、駅内設備コントローラ５、及び駅統合システムコントローラ８１の動作ログ情報を格納する。さらに、動作ログ管理装置８３は、各駅システムコントローラ７７及び各プラットホームドアコントローラ４の動作ログ情報を解析し、それらの動作ログ情報を作成時刻順に整列させる。
【００７０】
また、駅統合ネットワーク７９には、基準時刻情報を作成する統合システム基準時刻作成部８５が接続されている。各駅システムコントローラ７７は、基準時刻情報を格納する。
【００７１】
次に、図８は、図７の駅システムコントローラ７７を詳細に示す構成図である。図において、統合システム基準時刻作成部８５からの基準時刻情報は、メインシステム時刻管理部９に格納される。
【００７２】
駅統合システムコントローラ８１からの駅システム動作状況情報は、ローカルシステム動作状況情報入力部１５に入力される。ローカルシステム動作状況情報入力部１５は、駅統合システムコントローラ８１からの駅システム動作状況情報と、プラットホームドアコントローラ４からのサブシステム動作状況情報と、駅内設備コントローラ５からの駅内設備システム動作状況情報とを、ローカルシステム動作状況情報判定部１６及びメイン動作ログ情報作成部２６に入力する。
【００７３】
駅統合システムコントローラ８１からの駅統合システム指令信号は、指令入力部１４に入力される。指令入力部１４は、駅統合システムコントローラ８１からの駅統合システム指令信号と、プラットホームドアコントローラ４からのサブシステム指令信号と、駅内設備コントローラ５からの駅内設備システム指令信号とを、メインシステム命令作成部１８及びメイン動作ログ情報作成部２６に入力する。
【００７４】
メインシステム命令作成部１８は、駅統合システムコントローラ８１からの各指令信号と、ローカルシステム動作状況情報判定部１６からの総合動作状況情報とに基づいて、メインシステム命令信号を作成し、そのメインシステム命令信号を命令ＩＤ管理部２１とメインシステム命令出力部２４とに入力する。命令ＩＤ管理部２１は、メインシステム命令作成部１８が作成したメインシステム命令信号に対して命令ＩＤを付与する。なお、命令ＩＤは、駅システムコントローラ７７毎に互いに異なるように管理されている。つまり、動作ログ管理装置８３は、入力されたメイン動作ログ情報の命令ＩＤを判定することで、メイン動作ログ情報がどの駅システムコントローラ７７によって作成されたのかを判定できる。
【００７５】
メインシステム命令出力部２４は、入力されたメインシステム命令信号と命令ＩＤと基準時刻情報とを、メインシステムコントローラ側接続インタフェース１０を介して所定のコントローラ４，５，８１に入力する。また、メインシステム命令出力部２４は、入力されたメインシステム命令信号と命令ＩＤと基準時刻情報とを、メイン動作ログ情報作成部２６に入力する。
【００７６】
メイン動作ログ情報作成部２６は、入力された情報をメイン動作ログとして認識し、そのメイン動作ログと、メインシステム時刻管理部９からの基準時刻情報とを互いに関連付けてメイン動作ログ情報を作成する。
【００７７】
即ち、メイン動作ログ情報作成部２６は、ローカルシステム動作状況情報入力部１５からのサブシステム動作状況情報、駅内設備システム動作状況情報及び、駅システム動作状況情報と、メインシステム時刻管理部９からの基準時刻情報とを互いに関連付けてメイン動作ログ情報を作成する。
【００７８】
また、メイン動作ログ情報作成部２６は、ローカルシステム動作状況情報判定部１６からの総合動作状況情報と、メインシステム時刻管理部９からの基準時刻情報とを互いに関連付けてメイン動作ログ情報を作成する。
【００７９】
さらに、メイン動作ログ情報作成部２６は、指令入力部１４からのサブシステム動作指令信号、駅内設備システム指令信号、及び駅統合システム指令信号と、メインシステム時刻管理部９からの基準時刻情報とを互いに関連付けてメイン動作ログ情報を作成する。
【００８０】
さらにまた、メイン動作ログ情報作成部２６は、メインシステム命令出力部２４からのメインシステム命令信号と命令ＩＤと基準時刻情報とを互いに関連付けてメイン動作ログ情報を作成する。
【００８１】
メイン動作ログ情報記憶部１１は、メイン動作ログ情報作成部２６が作成したメイン動作ログ情報を格納する。その他の構成は、実施の形態２と同様である。
【００８２】
このような動作ログ管理システムでは、動作ログ管理装置８３は、複数の駅システムコントローラ７７及び各プラットホームドアコントローラ４の動作ログ情報を解析し、それらの動作ログ情報を作成時刻順に整列させ格納するので、駅統合システムコントローラ８１に複数の駅システムコントローラ７７が監視制御されるシステム構成においても、時刻合わせのための通信を定期的に行うことなく、メイン動作ログ情報とサブ動作ログ情報との時間的整合性をより高めることができる。
【００８３】
なお、実施の形態３では、動作ログ管理装置８３は、複数の駅システムコントローラ７７が作成したメイン動作ログ情報と、各プラットホームドアコントローラ４が作成したサブ動作ログ情報とを作成時刻順に整列させると説明したが、駅システムコントローラ７７内に経過時間情報作成部を含ませ、駅統合システムコントローラ８１の動作ログ情報と、駅システムコントローラ７７の動作ログ情報とを作成時刻順に整列させ格納してもよい。つまり、メインシステムコントローラは駅統合システムコントローラでもよく、サブシステムコントローラは駅システムコントローラでもよい。
【００８４】
また、実施の形態１〜３では、動作ログ管理装置６，８３は、駅システムコントローラ３，７７の動作ログ情報と、プラットホームドアコントローラ４の動作ログ情報とを作成時刻順に整列させ格納すると説明したが、駅システムコントローラ３，７７の動作ログ情報と、駅内設備コントローラ５の動作ログ情報とを作成時刻順に整列させてもよい。また、サブシステムコントローラは、列車に搭載された機器の動作を監視制御する車載制御装置でもよい。
【００８５】
さらに、この発明の適用対象は、駅システムに限定されることなく、例えばエレベータシステム等でもよい。つまり、メインシステムコントローラは、例えばエレベータシステム全体の動作を監視制御するエレベータ制御盤等でもよく、サブシステムコントローラは、例えばエレベータ制御盤からの制御指令に基づいてエレベータのかご内機器の動作を監視制御するかご内制御装置等でもよい。
【図面の簡単な説明】
【００８６】
【図１】この発明の実施の形態１による駅システムを示す構成図である。
【図２】図１の駅システムコントローラを詳細に示す構成図である。
【図３】図１のプラットホームドアコントローラを詳細に示す構成図である。
【図４】図１の動作ログ管理装置を詳細に示す構成図である。
【図５】図２のメイン動作ログ情報記憶部、図３のサブ動作ログ情報記憶部、及び図４の全システム動作ログ情報記憶部に格納された各動作ログ情報を示す説明図である。
【図６】この発明の実施の形態２による駅システムを示す構成図である。
【図７】この発明の実施の形態３による駅統合システムを示す構成図である。
【図８】図７の駅システムコントローラを詳細に示す構成図である。
【符号の説明】
【００８７】
１  駅システム（メインシステム）、２ａ  プラットホームドアシステム（サブシステム）、３，７７  駅システムコントローラ（メインシステムコントローラ）、４  プラットホームドアコントローラ（サブシステムコントローラ）、６，８３  動作ログ管理装置（動作ログ管理部）。
【図１】
2007026048.tif 000003
【図２】
2007026048.tif 000004
【図３】
2007026048.tif 000005
【図４】
2007026048.tif 000006
【図５】
2007026048.tif 000007
【図６】
2007026048.tif 000008
【図７】
2007026048.tif 000009
【図８】
2007026048.tif 000010